(57)【要約】【課題】吸着ロータの近傍における空気漏れに起因する調湿性能の低下を抑制する。【解決手段】ケーシング（20）には、第１空気通路（21）と第２空気通路（22）とが形成されている。吸着ロータ（40）は、吸着剤が担持されて回転可能に構成され、軸方向に空気が通過するように第１空気通路（21）と第２空気通路（22）とに跨がって配置され、第１空気通路（21）側の領域が吸着領域（41）となり、第２空気通路（22）側の領域が再生領域（42）となっている。そして、吸着領域（41）における空気の通過方向と再生領域（42）における空気の通過方向とが同一の方向となっている。【選択図】図１
2018146217.tif 000002
【特許請求の範囲】
【請求項１】
それぞれに空気が流れる第１空気通路（21）および第２空気通路（22）が形成されたケーシング（20）と、
吸着剤が担持されて回転可能に構成され、軸方向に空気が通過するように上記第１空気通路（21）と上記第２空気通路（22）とに跨がって配置され、上記第１空気通路（21）側の領域が空気中の水分を吸着剤に吸着させて空気を除湿する吸着領域（41）となり、上記第２空気通路（22）側の領域が吸着剤から空気中へ水分を脱離させて該吸着剤を再生する再生領域（42）となる吸着ロータ（40）とを備え、
上記吸着領域（41）における空気の通過方向と上記再生領域（42）における空気の通過方向とが同一の方向となっている
ことを特徴とする調湿装置。
【請求項２】
請求項１において、
回転可能に構成され、軸方向に空気が通過するように上記第１空気通路（21）と上記第２空気通路（22）とに跨がって配置され、上記第１空気通路（21）側の領域が空気へ放熱する放熱領域（51）となり、上記第２空気通路（22）側の領域が空気から吸熱する吸熱領域（52）となる顕熱ロータ（50）を備え、
上記顕熱ロータ（50）は、上記第１空気通路（21）において上記放熱領域（51）が上記吸着ロータ（40）の吸着領域（41）の下流側に位置し、且つ、上記第２空気通路（22）において上記吸熱領域（52）が該吸着ロータ（40）の再生領域（42）の下流側に位置するように配置されている
ことを特徴とする調湿装置。
【請求項３】
請求項２において、
上記吸着ロータ（40）と上記顕熱ロータ（50）とが一体に形成されて処理ロータ（30）が構成されている
ことを特徴とする調湿装置。
【請求項４】
請求項２または３において、
上記吸着ロータ（40）および上記顕熱ロータ（50）の回転数を制御する制御部（80）を備え、
上記吸着ロータ（40）と上記顕熱ロータ（50）とが連れ回るように構成され、
上記制御部（80）は、
上記吸着ロータ（40）の除湿量と回転数との関係を示す除湿特性線（L1）における該除湿量のピーク値（DP）に対応する除湿ピーク回転数（RDP）を含む第１回転数範囲（RR1）内において上記吸着ロータ（40）および上記顕熱ロータ（50）の回転数を制御する第１回転数制御と、
上記第１回転数範囲（RR1）よりも低い第２回転数範囲（RR2）内において上記吸着ロータ（40）および上記顕熱ロータ（50）の回転数を制御する第２回転数制御と、
上記第１回転数範囲（RR1）よりも高い第３回転数範囲（RR3）内において上記吸着ロータ（40）および上記顕熱ロータ（50）の回転数を制御する第３回転数制御とを行う
ことを特徴とする調湿装置。
【請求項５】
請求項１〜４のいずれか１項において、
圧縮機（61）と凝縮器（62）と蒸発器（64）とを有する冷媒回路（60）を備え、
上記凝縮器（62）は、上記第２空気通路（22）において上記吸着ロータ（40）の再生領域（42）の上流側に配置され、
上記蒸発器（64）は、上記第１空気通路（21）において上記吸着ロータ（40）の吸着領域（41）の下流側に配置されている
ことを特徴とする調湿装置。
【発明の詳細な説明】
【技術分野】
【０００１】
この発明は、吸着ロータを備えた調湿装置に関する。
【背景技術】
【０００２】
従来、吸着ロータを用いて空気の調湿（湿度調節）を行う調湿装置が知られている。例えば、特許文献１には、空気中の水分を吸着可能な吸着手段を有する回転式除湿機（吸着ロータ）を備えた空気調和機が開示されている。この回転式除湿機は、給気通路と排気通路とに跨がって配置されている。そして、この空気調和機では、給気通路に吸い込まれた室外空気が回転式除湿機の給気通路部（給気通路側の部分）を通過して吸着手段により除湿されて室内に吹き出され、排気通路に吸い込まれた室内空気が回転式除湿機の排気通路部（排気通路側の部分）を通過して吸着手段を乾燥させて室外に吹き出される。
【先行技術文献】
【特許文献】
【０００３】
【特許文献１】特開２００６−２５０４１４号公報
【発明の概要】
【発明が解決しようとする課題】
【０００４】
しかしながら、特許文献１の空気調和機では、回転式除湿機（吸着ロータ）の給気通路部における空気の通過方向と回転式除湿機の排気通路部における空気の通過方向とが逆の方向となっているので、回転式除湿機の近傍において給気通路と排気通路との間の気圧差が大きくなる傾向にあり、回転式除湿機の近傍（例えば給気通路と排気通路とを仕切る仕切壁と回転式除湿機との間の隙間）において給気通路および排気通路の一方から他方へ空気が漏れやすくなっている。そして、回転式除湿機の近傍における空気漏れ（給気通路および排気通路の一方から他方への空気漏れ）が多くなるほど、調湿性能が低くなってしまう。
【０００５】
そこで、この発明は、吸着ロータの近傍における空気漏れに起因する調湿性能の低下を抑制することが可能な調湿装置を提供することを目的とする。
【課題を解決するための手段】
【０００６】
第１の発明は、それぞれに空気が流れる第１空気通路（21）および第２空気通路（22）が形成されたケーシング（20）と、吸着剤が担持されて回転可能に構成され、軸方向に空気が通過するように上記第１空気通路（21）と上記第２空気通路（22）とに跨がって配置され、上記第１空気通路（21）側の領域が空気中の水分を吸着剤に吸着させて空気を除湿する吸着領域（41）となり、上記第２空気通路（22）側の領域が吸着剤から空気中へ水分を脱離させて該吸着剤を再生する再生領域（42）となる吸着ロータ（40）とを備え、上記吸着領域（41）における空気の通過方向と上記再生領域（42）における空気の通過方向とが同一の方向となっていることを特徴とする調湿装置である。
【０００７】
上記第１の発明では、吸着ロータ（40）の吸着領域（41）における空気の通過方向と再生領域（42）における空気の通過方向とが同一の方向となっているので、吸着ロータ（40）の吸着領域（41）における空気の通過方向と再生領域（42）における空気の通過方向とが逆方向となっている場合よりも、吸着ロータ（40）の近傍における第１空気通路（21）と第２空気通路（22）との間の気圧差を低減することができる。これにより、吸着ロータ（40）の近傍（例えば第１空気通路（21）と第２空気通路（22）とを仕切る仕切壁と吸着ロータ（40）との間の隙間）において第１空気通路（21）および第２空気通路（22）の一方から他方へ空気を漏れにくくすることができる。
【０００８】
第２の発明は、上記第１の発明において、回転可能に構成され、軸方向に空気が通過するように上記第１空気通路（21）と上記第２空気通路（22）とに跨がって配置され、上記第１空気通路（21）側の領域が空気へ放熱する放熱領域（51）となり、上記第２空気通路（22）側の領域が空気から吸熱する吸熱領域（52）となる顕熱ロータ（50）を備え、上記顕熱ロータ（50）は、上記第１空気通路（21）において上記放熱領域（51）が上記吸着ロータ（40）の吸着領域（41）の下流側に位置し、且つ、上記第２空気通路（22）において上記吸熱領域（52）が該吸着ロータ（40）の再生領域（42）の下流側に位置するように配置されていることを特徴とする調湿装置である。
【０００９】
上記第２の発明では、顕熱ロータ（50）の吸熱領域（52）を通過する空気（すなわち吸着ロータ（40）の再生領域（42）を通過した空気）から吸収された熱を、顕熱ロータ（50）の放熱領域（51）を通過する空気へ放出することができる。
【００１０】
第３の発明は、上記第２の発明において、上記吸着ロータ（40）と上記顕熱ロータ（50）とが一体に形成されて処理ロータ（30）が構成されていることを特徴とする調湿装置である。
【００１１】
上記第３の発明では、吸着ロータ（40）と顕熱ロータ（50）とを一体に形成して処理ロータ（30）を構成することにより、吸着ロータ（40）と顕熱ロータ（50）を別体に形成する場合よりも、吸着ロータ（40）および顕熱ロータ（50）の設置スペース（吸着ロータ（40）と顕熱ロータ（50）を設置するために必要となるスペース）を小さくすることができる。
【００１２】
第４の発明は、上記第２または第３の発明において、上記吸着ロータ（40）および上記顕熱ロータ（50）の回転数を制御する制御部（80）を備え、上記吸着ロータ（40）と上記顕熱ロータ（50）とが連れ回るように構成され、上記制御部（80）は、上記吸着ロータ（40）の除湿量と回転数との関係を示す除湿特性線（L1）における該除湿量のピーク値（DP）に対応する除湿ピーク回転数（RDP）を含む第１回転数範囲（RR1）内において上記吸着ロータ（40）および上記顕熱ロータ（50）の回転数を制御する第１回転数制御と、上記第１回転数範囲（RR1）よりも低い第２回転数範囲（RR2）内において上記吸着ロータ（40）および上記顕熱ロータ（50）の回転数を制御する第２回転数制御と、上記第１回転数範囲（RR1）よりも高い第３回転数範囲（RR3）内において上記吸着ロータ（40）および上記顕熱ロータ（50）の回転数を制御する第３回転数制御とを行うことを特徴とする調湿装置である。
【００１３】
上記第４の発明では、除湿特性線（L1）は、最小回転数から除湿ピーク回転数（RDP）までの範囲において回転数の増加に応じて除湿量が次第に増加し、除湿ピーク回転数（RDP）から最大回転数までの範囲において回転数の増加に応じて除湿量が次第に減少する曲線（上に凸となる曲線）となっている。すなわち、吸着ロータ（40）は、最小回転数から除湿ピーク回転数（RDP）までの範囲において吸着ロータ（40）の回転数の増加に応じて吸着ロータ（40）の除湿量が次第に増加し、除湿ピーク回転数（RDP）から最大回転数までの範囲において吸着ロータ（40）の回転数の増加に応じて吸着ロータ（40）の除湿量が次第に減少するという除湿特性を有している。また、顕熱ロータ（50）は、最小回転数から顕熱ピーク回転数（RSP）までの範囲において顕熱ロータ（50）の回転数の増加に応じて顕熱ロータ（50）の顕熱交換率が次第に増加し、顕熱ピーク回転数（RSP）から最大回転数までの範囲において顕熱ロータ（50）の回転数の増加に応じて顕熱ロータ（50）の顕熱交換率が次第に減少するという顕熱特性を有している。顕熱ピーク回転数（RSP）は、顕熱交換率のピーク値（SP）に対応する回転数である。
【００１４】
第５の発明では、上記第１〜第４の発明のいずれか１つにおいて、圧縮機（61）と凝縮器（62）と蒸発器（64）とを有する冷媒回路（60）を備え、上記凝縮器（62）は、上記第２空気通路（22）において上記吸着ロータ（40）の再生領域（42）の上流側に配置され、上記蒸発器（64）は、上記第１空気通路（21）において上記吸着ロータ（40）の吸着領域（41）の下流側に配置されていることを特徴とする調湿装置である。
【００１５】
上記第５の発明では、蒸発器（64）を通過する空気（すなわち吸着ロータ（40）の吸着領域（41）を通過した空気）から吸収された熱を、凝縮器（62）を通過する空気（すなわち吸着ロータ（40）の再生領域（42）に供給される空気）へ放出することができる。
【発明の効果】
【００１６】
第１の発明によれば、吸着ロータ（40）の近傍における空気漏れ（第１空気通路（21）および第２空気通路（22）の一方から他方への空気漏れ）を低減することができるので、吸着ロータ（40）の近傍における空気漏れに起因する調湿性能の低下を抑制することができる。
【００１７】
第２の発明によれば、顕熱ロータ（50）の吸熱領域（52）を通過する空気（すなわち吸着ロータ（40）の再生領域（42）を通過した空気）から吸収された熱を顕熱ロータ（50）の放熱領域（51）を通過する空気へ放出することができるので、吸着ロータ（40）の再生領域（42）を通過した空気に残っている熱を顕熱ロータ（50）の放熱領域（51）の下流側において利用することができる。
【００１８】
第３の発明によれば、調湿装置の部品点数を削減することができる。また、吸着ロータ（40）および顕熱ロータ（50）の設置スペースを小さくすることができるので、調湿装置を小型化することができる。
【００１９】
第４の発明によれば、第１回転数制御と第２回転数制御と第３回転数制御とを切り換えて行うことにより、吸着ロータ（40）の調湿能力と顕熱ロータ（50）の顕熱能力とのバランスを切り換えて空気の調湿を行うことができる。
【００２０】
第５の発明によれば、蒸発器（64）を通過する空気（すなわち吸着ロータ（40）の吸着領域（41）を通過した空気）から吸収された熱を凝縮器（62）を通過する空気（すなわち吸着ロータ（40）の再生領域（42）に供給される空気）へ放出することができるので、吸着ロータ（40）の吸着領域（41）を通過した空気に残っている熱を吸着ロータ（40）の再生領域（42）において利用することができる。
【図面の簡単な説明】
【００２１】
【図１】図１は、実施形態による調湿装置の構成を例示する概略図である。
【図２】図２は、処理ロータの構成を例示する概略図である。
【図３】図３は、吸着ロータの除湿特性と顕熱ロータの顕熱特性とを例示するグラフである。
【図４】図４は、調湿装置の変形例１の構成を例示する概略図である。
【図５】図５は、調湿装置の変形例２の構成を例示する概略図である。
【発明を実施するための形態】
【００２２】
以下、実施の形態を図面を参照して詳しく説明する。なお、図中同一または相当部分には同一の符号を付しその説明は繰り返さない。
【００２３】
（調湿装置）
図１は、実施形態による調湿装置（10）の構成を例示している。調湿装置（10）は、室内の調湿（湿度調節）を行うものであり、ケーシング（20）と、処理ロータ（30）と、冷媒回路（60）と、第１ファン（71）と、第２ファン（72）と、コントローラ（80）とを備えている。この例では、調湿装置（10）は、室内を除湿する除湿装置を構成している。
【００２４】
〔ケーシング〕
ケーシング（20）には、処理ロータ（30）と冷媒回路（60）と第１ファン（71）と第２ファン（72）とが収容されている。また、ケーシング（20）には、第１空気通路（21）と第２空気通路（22）が形成されている。この例では、ケーシング（20）は、直方体型の箱状に形成され、その内部空間が第１仕切壁（25）と第２仕切壁（26）によって第１空気通路（21）と第２空気通路（22）と収納室（23）とに仕切られている。具体的には、第１仕切壁（25）によって第１空気通路（21）と第２空気通路（22）とが仕切られ、第２仕切壁（26）によって第１空気通路（21）と収納室（23）とが仕切られている。
【００２５】
〈空気通路〉
第１空気通路（21）および第２空気通路（22）には、それぞれ空気が流れる。この例では、第１空気通路（21）は、室内空間と連通する第１吸込口（21a）と、室内空間と連通する第１吹出口（21b）とを有し、室内空間から吸い込んだ空気（室内空気（RA））を供給空気（SA）として室内空間に吹き出すように構成されている。第２空気通路（22）は、室内空間と連通する第２吸込口（22a）と、室外空間と連通する第２吹出口（22b）とを有し、室内空間から吸い込んだ空気（室内空気（RA））を排出空気（EA）として室外空間に吹き出すように構成されている。
【００２６】
〔処理ロータ〕
処理ロータ（30）は、回転軸（O）を中心として回転可能に構成され、駆動機構（図示を省略）によって回転駆動される。そして、処理ロータ（30）は、軸方向に空気が通過するように第１空気通路（21）と第２空気通路（22）とに跨がって配置されている。具体的には、処理ロータ（30）は、軸方向に貫通する多数の通気孔（図示を省略）を有し、それらの通気孔に空気が流れるように第１空気通路（21）と第２空気通路（22）とに跨がって配置されている。
【００２７】
また、処理ロータ（30）の軸方向一端側の部分には、吸着剤が担持されている。なお、処理ロータ（30）の残りの部分（すなわち軸方向他端側の部分）には、吸着剤が担持されていない。これにより、処理ロータ（30）の軸方向一端側の部分（吸着剤が担持されている部分）が吸着ロータ（40）を構成し、処理ロータ（30）の軸方向他端側の部分（吸着剤が担持されていない部分）が顕熱ロータ（50）を構成している。すなわち、この例では、吸着ロータ（40）と顕熱ロータ（50）とが一体に形成されて処理ロータ（30）が構成されており、吸着ロータ（40）と顕熱ロータ（50）とが連れ回るように構成されている。そして、処理ロータ（30）は、第１空気通路（21）および第２空気通路（22）において吸着ロータ（40）となる部分が顕熱ロータ（50）となる部分よりも上流側に位置するように配置されている。
【００２８】
〈吸着ロータ〉
吸着ロータ（40）は、吸着剤が担持されている。また、吸着ロータ（40）は、回転軸（O）を中心として回転可能に構成され、軸方向に空気が通過するように第１空気通路（21）と第２空気通路（22）とに跨がって配置されている。具体的には、吸着ロータ（40）は、軸方向に貫通する多数の通気孔（図示を省略）を有し、それらの通気孔に空気が流れるように第１空気通路（21）と第２空気通路（22）とに跨がって配置されている。
【００２９】
また、吸着ロータ（40）は、第１空気通路（21）側の領域が空気中の水分を吸着剤に吸着させて空気を除湿する吸着領域（41）となり、第２空気通路（22）側の領域が吸着剤から空気中へ水分を脱離させて該吸着剤を再生する再生領域（42）となっている。なお、吸着ロータ（40）の回転に伴い、吸着ロータ（40）の第１空気通路（21）側の部分が第２空気通路（22）側へ向けて移動するとともに、吸着ロータ（40）の第２空気通路（22）側の部分が第１空気通路（21）側へ向けて移動する。
【００３０】
〈顕熱ロータ〉
顕熱ロータ（50）は、回転軸（O）を中心として回転可能に構成され、軸方向に空気が通過するように第１空気通路（21）と第２空気通路（22）とに跨がって配置されている。具体的には、顕熱ロータ（50）は、軸方向に貫通する多数の通気孔（図示を省略）を有し、それらの通気孔に空気が流れるように第１空気通路（21）と第２空気通路（22）とに跨がって配置されている。
【００３１】
また、顕熱ロータ（50）は、第１空気通路（21）側の領域が空気へ放熱する放熱領域（51）となり、第２空気通路（22）側の領域が空気から吸熱する吸熱領域（52）となっている。なお、顕熱ロータ（50）の回転に伴い、顕熱ロータ（50）の第１空気通路（21）側の部分が第２空気通路（22）側へ向けて移動するとともに、顕熱ロータ（50）の第２空気通路（22）側の部分が第１空気通路（21）側へ向けて移動する。
【００３２】
また、顕熱ロータ（50）は、第１空気通路（21）および第２空気通路（22）において吸着ロータ（40）の下流側に配置されている。具体的には、顕熱ロータ（50）は、第１空気通路（21）において放熱領域（51）が吸着ロータ（40）の吸着領域（41）の下流側に位置し、且つ、第２空気通路（22）において吸熱領域（52）が吸着ロータ（40）の再生領域（42）の下流側に位置するように配置されている。
【００３３】
〈処理ロータの構造〉
図２に示すように、この例では、処理ロータ（30）は、円板状に形成されている。すなわち、吸着ロータ（40）および顕熱ロータ（50）は、円板状に形成されている。例えば、処理ロータ（30）は、銅やアルミニウムなどの金属繊維や、炭素繊維や、パルプなどの植物繊維や、セラミック繊維や、ガラス繊維などで構成されて軸方向に貫通する多数の通気孔（図示を省略）が形成された円板状の基材によって構成されている。そして、基材の軸方向一端側の部分と吸着剤（基材の軸方向一端側の部分に担持された吸着剤）とが吸着ロータ（40）を構成し、基材の軸方向他端側の部分（吸着剤が担持されていない部分）が顕熱ロータ（50）を構成している。すなわち、この例では、吸着ロータ（40）は、円板状の基材と、その基材に担持された吸着剤とによって構成され、顕熱ロータ（50）は、円板状の基材によって構成されている。
【００３４】
なお、吸着剤は、ゼオライト，シリカゲル，活性炭，親水性の官能基を有する有機高分子材料によって構成されていてもよいし、水分を吸着する機能だけではなく水分を吸収する機能も有する材料（いわゆる収着剤）によって構成されていてもよい。
【００３５】
また、顕熱ロータ（50）（この例では吸着剤が担持されていない処理ロータ（30）の軸方向他端側の部分）には、高熱伝導材料（例えば銅やアルミニウムなど）の粉体が担持されていてもよいし、高比熱材料（例えば鉛など）の粉体が担持されていてもよいし、顕熱蓄熱剤（例えば土壌，粉砕煉瓦，粉砕岩石など）が担持されていてもよい。
【００３６】
〔冷媒回路〕
冷媒回路（60）は、圧縮機（61）と凝縮器（62）と膨張機構（63）と蒸発器（64）とを有している。冷媒回路（60）では、圧縮機（61）と凝縮器（62）と膨張機構（63）と蒸発器（64）とが順に接続されて閉回路が構成されている。具体的には、圧縮機（61）の吐出管と凝縮器（62）のガス端とが接続され、凝縮器（62）の液端と膨張機構（63）とが接続され、膨張機構（63）と蒸発器（64）の液端とが接続され、蒸発器（64）の液端と圧縮機（61）の吸入管とが接続されている。そして、冷媒回路（60）では、冷媒が循環して蒸気圧縮式の冷凍サイクルが行われる。
【００３７】
〈圧縮機〉
圧縮機（61）は、吸い込んだ冷媒を圧縮して吐出するように構成されている。例えば、圧縮機（61）は、インバータ回路（図示を省略）により運転周波数を調節可能な可変容量式の圧縮機（ロータリー式，スイング式，スクロール式などの圧縮機）によって構成されている。この例では、圧縮機（61）は、収納室（23）に配置されている。
【００３８】
〈凝縮器〉
凝縮器（62）は、冷媒と空気とを熱交換させるように構成されている。すなわち、凝縮器（62）では、凝縮器（62）を通過する冷媒と凝縮器（62）を通過する空気とが熱交換する。例えば、凝縮器（62）は、フィンアンドチューブ型の熱交換器によって構成されている。
【００３９】
〈膨張機構〉
膨張機構（63）は、冷媒の圧力を低下させるように構成されている。例えば、膨張機構（63）は、電子膨張弁によって構成されている。この例では、膨張機構（63）は、第２空気通路（22）に配置されている。
【００４０】
〈蒸発器〉
蒸発器（64）は、冷媒と空気とを熱交換させるように構成されている。すなわち、蒸発器（64）では、蒸発器（64）を通過する冷媒と蒸発器（64）を通過する空気とが熱交換する。例えば、蒸発器（64）は、フィンアンドチューブ型の熱交換器によって構成されている。
【００４１】
〈冷媒回路における冷媒の流れ〉
冷媒回路（60）において、圧縮機（61）から吐出された冷媒は、凝縮器（62）において空気へ放熱して凝縮する。これにより、凝縮器（62）を通過する空気が加熱される。凝縮器（62）から流出した冷媒は、膨張機構（63）において減圧され、蒸発器（64）において空気から吸熱して蒸発する。これにより、蒸発器（64）を通過する空気が冷却される。蒸発器（64）から流出した冷媒は、圧縮機（61）に吸入される。
【００４２】
〈凝縮器の配置〉
凝縮器（62）は、第２空気通路（22）において吸着ロータ（40）の再生領域（42）の上流側に配置されている。この例では、第２空気通路（22）において、凝縮器（62）の下流側に吸着ロータ（40）の再生領域（42）が配置され、吸着ロータ（40）の再生領域（42）の下流側に顕熱ロータ（50）の吸熱領域（52）が配置されている。
【００４３】
〈蒸発器の配置〉
蒸発器（64）は、第１空気通路（21）において吸着ロータ（40）の吸着領域（41）の下流側に配置されている。この例では、第１空気通路（21）において、吸着ロータ（40）の吸着領域（41）の下流側に顕熱ロータ（50）の放熱領域（51）が配置され、顕熱ロータ（50）の放熱領域（51）の下流側に蒸発器（64）が配置されている。
【００４４】
〔ファン〕
第１ファン（71）は、第１空気通路（21）に設けられ、第１空気通路（21）内の空気を搬送するように構成されている。具体的には、第１ファン（71）は、第１空気通路（21）において第１吸込口（21a）から第１吹出口（21b）へ向けて空気が流れるように第１空気通路（21）内の空気を搬送する。例えば、第１ファン（71）は、シロッコファンによって構成されている。なお、この例では、第１空気通路（21）の上流側から下流側へ向けて吸着ロータ（40）の吸着領域（41）と顕熱ロータ（50）の放熱領域（51）と蒸発器（64）と第１ファン（71）とが順に配置されている。
【００４５】
第２ファン（72）は、第２空気通路（22）に設けられ、第２空気通路（22）内の空気を搬送するように構成されている。具体的には、第２ファン（72）は、第２空気通路（22）において第２吸込口（22a）から第２吹出口（22b）へ向けて空気が流れるように第２空気通路（22）内の空気を搬送する。例えば、第２ファン（72）は、シロッコファンによって構成されている。なお、この例では、第２空気通路（22）の上流側から下流側へ向けて凝縮器（62）と吸着ロータ（40）の再生領域（42）と顕熱ロータ（50）の吸熱領域（52）と第２ファン（72）とが順に配置されている。
【００４６】
〔各種センサ〕
また、調湿装置（10）の各部には、空気や冷媒の温度を検知する温度センサ，空気の湿度を検知する湿度センサ，冷媒の圧力を検知する圧力センサなどの各種センサ（図示を省略）が設けられている。そして、これらの各種センサの検知信号（検知の結果を示した信号）は、コントローラ（80）に送信される。
【００４７】
〔コントローラ（制御部）〕
コントローラ（80）は、調湿装置（10）の各部に設けられた各種センサ（図示を省略）からの検知信号や調湿装置（10）の操作者からの指示などに基づいて、調湿装置（10）の各部（具体的には処理ロータ（30）と冷媒回路（60）と第１ファン（71）と第２ファン（72））を制御して調湿装置（10）の動作を制御するように構成されている。例えば、コントローラ（80）は、ＣＰＵなどの演算処理部と、演算処理部を動作させるためのプログラムや情報を記憶するメモリなどの記憶部とによって構成されている。
【００４８】
この例では、コントローラ（80）は、処理ロータ（30）の回転数（すなわち吸着ロータ（40）および顕熱ロータ（50）の回転数）を制御する回転数制御を行うように構成されている。なお、コントローラ（80）による回転数制御については、後で詳しく説明する。
【００４９】
〔調湿装置における空気の流れ〕
次に、図１を参照して、調湿装置（10）における空気の流れについて説明する。
【００５０】
〈第１空気通路における空気の流れ〉
第１空気通路（21）では、第１吸込口（21a）を通じて第１空気通路（21）に吸い込まれた空気が吸着ロータ（40）の吸着領域（41）と顕熱ロータ（50）の放熱領域（51）と蒸発器（64）と第１ファン（71）とを順に通過し、第１吹出口（21b）を通じて第１空気通路（21）から吹き出される。
【００５１】
吸着ロータ（40）の吸着領域（41）では、吸着領域（41）を通過する空気の中の水分が吸着領域（41）の吸着剤に吸着される。これにより、吸着領域（41）を通過する空気が除湿される。また、吸着領域（41）の吸着剤の吸着熱により吸着領域（41）を通過する空気が加熱される。これにより、吸着領域（41）を通過する空気の温度が上昇する。
【００５２】
顕熱ロータ（50）の放熱領域（51）では、放熱領域（51）が放熱領域（51）を通過する空気へ放熱する。これにより、放熱領域（51）を通過する空気の温度が上昇する。
【００５３】
蒸発器（64）では、蒸発器（64）を流れる冷媒が蒸発器（64）を通過する空気から吸熱する。これにより、蒸発器（64）を通過する空気の温度が低下する。
【００５４】
この例では、第１空気通路（21）に吸い込まれた室内空気（RA）が吸着ロータ（40）の吸着領域（41）において除湿され、吸着ロータ（40）の吸着領域（41）を通過した空気が顕熱ロータ（50）の放熱領域（51）において加熱され、顕熱ロータ（50）の放熱領域（51）を通過した空気が蒸発器（64）において冷却され、蒸発器（64）を通過した空気が供給空気（SA）として室内空間に吹き出される。このようにして、調湿装置（10）において除湿された空気が室内空間に供給される。
【００５５】
〈第２空気通路における空気の流れ〉
第２空気通路（22）では、第２吸込口（22a）を通じて第２空気通路（22）に吸い込まれた空気が凝縮器（62）と吸着ロータ（40）の再生領域（42）と顕熱ロータ（50）の吸熱領域（52）と第２ファン（72）とを順に通過し、第２吹出口（22b）を通じて第２空気通路（22）から吹き出される。
【００５６】
凝縮器（62）では、凝縮器（62）を流れる冷媒が凝縮器（62）を通過する空気に放熱する。これにより、凝縮器（62）を通過する空気の温度が上昇する。
【００５７】
吸着ロータ（40）の再生領域（42）では、再生領域（42）の吸着剤から再生領域（42）を通過する空気へ水分が脱離する。これにより、再生領域（42）を通過する空気が加湿されるとともに、再生領域（42）の吸着剤が再生される。
【００５８】
顕熱ロータ（50）の吸熱領域（52）では、吸熱領域（52）が吸熱領域（52）を通過する空気から吸熱する。これにより、吸熱領域（52）を通過する空気の温度が低下する。
【００５９】
この例では、第２空気通路（22）に吸い込まれた室内空気（RA）が凝縮器（62）において加熱され、凝縮器（62）を通過した空気が吸着ロータ（40）の再生領域（42）において加湿されるとともに再生領域（42）の吸着剤を再生し、吸着ロータ（40）の再生領域（42）を通過した空気が顕熱ロータ（50）の吸熱領域（52）において冷却され、顕熱ロータ（50）の吸熱領域（52）を通過した空気が排出空気（EA）として室外空間に吹き出される。このようにして、調湿装置（10）において加湿された空気が室外空間に排出される。
【００６０】
〈吸着ロータおよび顕熱ロータにおける空気の通過方向〉
なお、この実施形態による調湿装置（10）では、吸着ロータ（40）の吸着領域（41）における空気の通過方向と吸着ロータ（40）の再生領域（42）における空気の通過方向とが同一の方向となっている。そして、顕熱ロータ（50）の放熱領域（51）における空気の通過方向と顕熱ロータ（50）の吸熱領域（52）における空気の通過方向とが同一の方向となっている。
【００６１】
〔除湿特性と顕熱特性〕
次に、図３を参照して、吸着ロータ（40）の除湿特性と顕熱ロータ（50）の顕熱特性とについて説明する。図３において、除湿特性線（L1）は、吸着ロータ（40）の回転数と吸着ロータ（40）の除湿量との関係を示し、顕熱特性線（L2）は、顕熱ロータ（50）の回転数と顕熱ロータ（50）の顕熱交換率との関係を示している。なお、吸着ロータ（40）の除湿量は、吸着ロータ（40）の吸着領域（41）において空気から吸着剤に吸着する水分の量に相当し、顕熱ロータ（50）の顕熱交換率は、顕熱ロータ（50）の放熱領域（51）に蓄積された熱量のうち放熱領域（51）から空気に放出される熱量の割合に相当する。
【００６２】
図３に示すように、除湿特性線（L1）は、最小回転数（例えばゼロ）から除湿ピーク回転数（RDP）までの範囲において回転数の増加に応じて除湿量が次第に増加し、除湿ピーク回転数（RDP）から最大回転数までの範囲において回転数の増加に応じて除湿量が次第に減少する曲線（上に凸となる曲線）となっている。なお、除湿ピーク回転数（RDP）は、除湿量のピーク値（DP）に対応する回転数である。すなわち、吸着ロータ（40）は、最小回転数から除湿ピーク回転数（RDP）までの範囲において吸着ロータ（40）の回転数の増加に応じて吸着ロータ（40）の除湿量が次第に増加し、除湿ピーク回転数（RDP）から最大回転数までの範囲において吸着ロータ（40）の回転数の増加に応じて吸着ロータ（40）の除湿量が次第に減少するという除湿特性を有している。
【００６３】
図３に示すように、顕熱特性線（L2）は、最小回転数（例えばゼロ）から顕熱ピーク回転数（RSP）までの範囲において回転数の増加に応じて顕熱交換率が次第に増加し、顕熱ピーク回転数（RSP）から最大回転数までの範囲において回転数の増加に応じて顕熱交換率が次第に減少する曲線（上に凸となる曲線）となっている。なお、顕熱ピーク回転数（RSP）は、顕熱交換率のピーク値（SP）に対応する回転数である。すなわち、顕熱ロータ（50）は、最小回転数から顕熱ピーク回転数（RSP）までの範囲において顕熱ロータ（50）の回転数の増加に応じて顕熱ロータ（50）の顕熱交換率が次第に増加し、顕熱ピーク回転数（RSP）から最大回転数までの範囲において顕熱ロータ（50）の回転数の増加に応じて顕熱ロータ（50）の顕熱交換率が次第に減少するという顕熱特性を有している。なお、図３の例では、顕熱ピーク回転数（RSP）は、除湿ピーク回転数（RDP）よりも低い回転数となっている。
【００６４】
〔コントローラによる回転数制御〕
次に、図３を参照して、コントローラ（80）による回転数制御について説明する。この例では、コントローラ（80）は、第１回転数制御と、第２回転数制御と、第３回転数制御とを選択的に行うように構成されている。例えば、コントローラ（80）は、室内空気（RA）の温度や相対湿度や絶対湿度などに基づいて回転数制御を切り換えて行うように構成されていてもよいし、調湿装置（10）の操作者による指示に応答して回転数制御を行うように構成されていてもよい。
【００６５】
なお、図３において、第１回転数範囲（RR1）は、吸着ロータ（40）の除湿量と回転数との関係を示す除湿特性線（L1）における除湿量のピーク値（DP）に対応する除湿ピーク回転数（RDP）を含む回転数範囲である。第２回転数範囲（RR2）は、第１回転数範囲（RR1）よりも低い回転数範囲である。第３回転数範囲（RR3）は、第１回転数範囲（RR1）よりも高い回転数範囲である。なお、この例では、顕熱ピーク回転数（RSP）は、第２回転数範囲（RR2）に含まれている。
【００６６】
〈第１回転数制御〉
第１回転数制御では、コントローラ（80）は、第１回転数範囲（RR1）内において処理ロータ（30）の回転数（すなわち吸着ロータ（40）および顕熱ロータ（50）の回転数、以下同様）を制御する。図３に示すように、第１回転数範囲（RR1）における吸着ロータ（40）の除湿量は、第２回転数範囲（RR2）および第３回転数範囲（RR3）における吸着ロータ（40）の除湿量よりも多くなっている。すなわち、第１回転数制御では、吸着ロータ（40）の調湿能力が比較的に高い状態で空気の調湿を行うことができる。したがって、第１回転数制御は、吸着ロータ（40）の調湿能力が比較的に高い状態で空気の調湿を行うことが要求されている場合（例えば、室内の除湿負荷が比較的に高くなっている場合、夏季において除湿能力の向上を優先して室内の除湿を行う場合など）に有効である。
【００６７】
なお、第１回転数範囲（RR1）における顕熱ロータ（50）の顕熱交換率は、第２回転数範囲（RR2）における顕熱ロータ（50）の顕熱交換率（この例では、特に顕熱ピーク回転数（RSP）から第２回転数範囲（RR2）の上限を規定する回転数までの範囲における顕熱ロータ（50）の顕熱交換率）よりも低く、第３回転数範囲（RR3）における顕熱ロータ（50）の顕熱交換率よりも高くなっている。
【００６８】
〈第２回転数制御〉
第２回転数制御では、コントローラ（80）は、第２回転数範囲（RR2）内において処理ロータ（30）の回転数を制御する。図３に示すように、第２回転数範囲（RR2）における顕熱ロータ（50）の顕熱交換率（この例では、特に顕熱ピーク回転数（RSP）から第２回転数範囲（RR2）の上限を規定する回転数までの範囲における顕熱ロータ（50）の顕熱交換率）は、第１回転数範囲（RR1）および第３回転数範囲（RR3）における顕熱ロータ（50）の顕熱交換率よりも高くなっている。すなわち、第２回転数制御では、顕熱ロータ（50）の顕熱能力が比較的に高い状態で空気の調湿を行うことができる。したがって、第２回転数制御は、顕熱ロータ（50）の顕熱能力が比較的に高い状態で空気の調湿を行うことが要求されている場合（例えば、室内の温度が低くなり過ぎないように室内の除湿を行う場合、中間期または冬季において室内の調湿を行う場合など）に有効である。
【００６９】
なお、第２回転数範囲（RR2）における吸着ロータ（40）の除湿量は、第１回転数範囲（RR1）における吸着ロータ（40）の除湿量よりも少なくなっている。
【００７０】
〈第３回転数制御〉
第３回転数制御では、コントローラ（80）は、第３回転数範囲（RR3）内において処理ロータ（30）の回転数を制御する。図３に示すように、第３回転数範囲（RR3）における顕熱ロータ（50）の顕熱交換率は、第１回転数範囲（RR1）における顕熱ロータ（50）の顕熱交換率および第２回転数範囲（RR2）における顕熱ロータ（50）の顕熱交換率（この例では、特に顕熱ピーク回転数（RSP）から第２回転数範囲（RR2）の上限を規定する回転数までの範囲における顕熱ロータ（50）の顕熱交換率）よりも低くなっている。すなわち、第３回転数制御では、顕熱ロータ（50）の顕熱能力が比較的に低い状態で空気の調湿を行うことができる。したがって、第３回転数制御は、顕熱ロータ（50）の顕熱能力が比較的に低い状態で空気の調湿を行うことが要求されている場合（例えば、室内の温度が高くなり過ぎないように室内の除湿を行う場合、夏季において室内の冷房負荷の増加抑制を優先して室内の除湿を行う場合など）に有効である。
【００７１】
なお、第３回転数範囲（RR3）における吸着ロータ（40）の除湿量は、第１回転数範囲（RR1）における吸着ロータ（40）の除湿量よりも少なくなっている。
【００７２】
例えば、図３に示すように、第２回転数範囲（RR2）に含まれる第１回転数（R1）は、第１除湿量（D1）と第１顕熱交換率（S1）とに対応している。すなわち、吸着ロータ（40）および顕熱ロータ（50）の回転数が第１回転数（R1）に設定されている場合、吸着ロータ（40）の除湿量は、第１除湿量（D1）となり、顕熱ロータ（50）の顕熱交換率は、第１顕熱交換率（S1）となる。また、第３回転数範囲（RR3）に含まれる第２回転数（R2）は、第１除湿量（D1）と第１顕熱交換率（S1）よりも低い第２顕熱交換率（S2）とに対応している。すなわち、第１回転数（R1）と第２回転数（R2）とを比較すると、吸着ロータ（40）の除湿量は、第１回転数（R1）と第２回転数（R2）とで同一となるが、顕熱ロータ（50）の顕熱交換率は、第１回転数（R1）よりも第２回転数（R2）のほうが低くなる。
【００７３】
〔実施形態による効果〕
以上のように、この実施形態による調湿装置（10）では、吸着ロータ（40）の吸着領域（41）における空気の通過方向と吸着ロータ（40）の再生領域（42）における空気の通過方向とが同一の方向となっている。そのため、吸着ロータ（40）の吸着領域（41）における空気の通過方向と再生領域（42）における空気の通過方向とが逆方向となっている場合よりも、吸着ロータ（40）の近傍における第１空気通路（21）と第２空気通路（22）との間の気圧差を低減することができる。これにより、吸着ロータ（40）の近傍（例えば第１空気通路（21）と第２空気通路（22）とを仕切る第１仕切壁（25）と吸着ロータ（40）との間の隙間）において第１空気通路（21）および第２空気通路（22）の一方から他方へ空気を漏れにくくすることができる。したがって、吸着ロータ（40）の近傍における空気漏れ（第１空気通路（21）および第２空気通路（22）の一方から他方への空気漏れ）に起因する調湿性能の低下を抑制することができる。
【００７４】
また、第２空気通路（22）において吸着ロータ（40）の再生領域（42）の上流側に凝縮器（62）を配置し、第１空気通路（21）において吸着ロータ（40）の吸着領域（41）の下流側に蒸発器（64）を配置することにより、蒸発器（64）を通過する空気（すなわち吸着ロータ（40）の吸着領域（41）を通過した空気）から吸収された熱を凝縮器（62）を通過する空気（すなわち吸着ロータ（40）の再生領域（42）に供給される空気）へ放出することができる。これにより、吸着ロータ（40）の吸着領域（41）を通過した空気に残っている熱を吸着ロータ（40）の再生領域（42）において利用することができる。すなわち、吸着ロータ（40）の吸着領域（41）を通過した空気に残っている熱を利用して吸着ロータ（40）の再生領域（42）の吸着剤を再生することができる。
【００７５】
また、第１空気通路（21）において放熱領域（51）が吸着ロータ（40）の吸着領域（41）の下流側に位置し、且つ、第２空気通路（22）において吸熱領域（52）が該吸着ロータ（40）の再生領域（42）の下流側に位置するように顕熱ロータ（50）を配置することにより、顕熱ロータ（50）の吸熱領域（52）を通過する空気（すなわち吸着ロータ（40）の再生領域（42）を通過した空気）から吸収された熱を顕熱ロータ（50）の放熱領域（51）を通過する空気へ放出することができる。これにより、吸着ロータ（40）の再生領域（42）を通過した空気に残っている熱を顕熱ロータ（50）の放熱領域（51）の下流側において利用することができる。
【００７６】
具体的には、この例では、第１空気通路（21）および第２空気通路（22）において吸着ロータ（40）の下流側に顕熱ロータ（50）が配置され、顕熱ロータ（50）の放熱領域（51）の下流側に蒸発器（64）が配置されている。そのため、吸着ロータ（40）の再生領域（42）を通過した空気に残っている熱を顕熱ロータ（50）の放熱領域（51）を通過する空気（すなわち蒸発器（64）に供給される空気）へ放出することができる。これにより、蒸発器（64）に供給される空気の温度を上昇させることができるので、蒸発器（64）における冷媒の蒸発温度を高くすることができる。その結果、圧縮機（61）の入力を低減することができ、調湿装置（10）の成績係数（ＣＯＰ）を向上させることができる。また、低温環境下（例えば室内空気（RA）の温度が１０℃以下である場合）において蒸発器（64）におけるフロストの発生を抑制することができる。
【００７７】
また、吸着ロータ（40）の再生領域（42）を通過した空気に残っている熱を顕熱ロータ（50）を経由して蒸発器（64）に供給される空気へ放出することができるので、蒸発器（64）において、吸着ロータ（40）の吸着領域（41）を通過した空気に残っている熱だけでなく、吸着ロータ（40）の再生領域（42）を通過した空気に残っている熱も回収することができる。これにより、吸着ロータ（40）の吸着領域（41）を通過した空気に残っている熱だけでなく、吸着ロータ（40）の再生領域（42）を通過した空気に残っている熱も、吸着ロータ（40）の再生領域（42）における吸着剤の再生に有効に利用することができる。
【００７８】
また、吸着ロータ（40）と顕熱ロータ（50）とを一体に形成して処理ロータ（30）を構成することにより、吸着ロータ（40）と顕熱ロータ（50）を別体に形成する場合よりも、調湿装置（10）の部品点数を削減することができる。また、吸着ロータ（40）および顕熱ロータ（50）の設置スペース（吸着ロータ（40）と顕熱ロータ（50）を設置するために必要となるスペース）を小さくすることができるので、調湿装置（10）を小型化することができる。
【００７９】
また、第１回転数制御と第２回転数制御と第３回転数制御とを切り換えて行うことにより、吸着ロータ（40）の調湿能力と顕熱ロータ（50）の顕熱能力とのバランスを切り換えて空気の調湿を行うことができる。
【００８０】
（その他の実施形態）
以上の説明では、吸着ロータ（40）と顕熱ロータ（50）とが一体に形成されて処理ロータ（30）が形成されている場合を例に挙げたが、図４に示すように、吸着ロータ（40）と顕熱ロータ（50）とが別体に形成されていてもよい。例えば、吸着ロータ（40）と顕熱ロータ（50）とが共通の軸部材に連結されて連れ回るように構成されていてもよい。または、吸着ロータ（40）と顕熱ロータ（50）とがそれぞれ異なる軸部材に連結されていてもよい。
【００８１】
また、調湿装置（10）が室内を除湿する除湿装置を構成している場合を例に挙げたが、調湿装置（10）は、室内を加湿する加湿装置を構成するものであってもよい。例えば、図５に示すように、第１吸込口（21a）を室外空間と連通させ、第１吹出口（21b）を室外空間と連通させて、室外空間から吸い込んだ空気（室外空気（OA））を排気空気（EA）として室外空間に吹き出すように第１空気通路（21）を構成し、第２吸込口（22a）を室外空間と連通させ、第２吹出口（22b）を室内空間と連通させて、室外空間から吸い込んだ空気（室外空気（OA））を供給空気（SA）として室内空間に吹き出すように第２空気通路（22）を構成してもよい。このような構成した場合、第２空気通路（22）に吸い込まれた室内空気（RA）が凝縮器（62）において加熱され、凝縮器（62）を通過した空気が吸着ロータ（40）の再生領域（42）において加湿されるとともに再生領域（42）の吸着剤を再生し、吸着ロータ（40）の再生領域（42）を通過した空気が顕熱ロータ（50）の吸熱領域（52）において冷却され、顕熱ロータ（50）の吸熱領域（52）を通過した空気が供給空気（SA）として室内空間に吹き出される。
【００８２】
また、以上の実施形態および変形例を適宜組み合わせて実施してもよい。以上の実施形態および変形例は、本質的に好ましい例示であって、この発明、その適用物、あるいはその用途の範囲を制限することを意図するものではない。
【産業上の利用可能性】
【００８３】
以上説明したように、上述の調湿装置は、室内の調湿（湿度調節）を行う調湿装置などとして有用である。
【符号の説明】
【００８４】
１０          調湿装置
２０          ケーシング
２１          第１空気通路
２２          第２空気通路
３０          処理ロータ
４０          吸着ロータ
４１          吸着領域
４２          再生領域
５０          顕熱ロータ
５１          放熱領域
５２          吸熱領域
６０          冷媒回路
６１          圧縮機
６２          凝縮器
６３          膨張機構
６４          蒸発器
７１          第１ファン
７２          第２ファン
８０          コントローラ（制御部）
ＲＲ１        第１回転数範囲
ＲＲ２        第２回転数範囲
ＲＲ３        第３回転数範囲
ＲＤＰ        除湿ピーク回転数
ＲＳＰ        顕熱ピーク回転数
【図１】
2018146217.tif 000003
【図２】
2018146217.tif 000004
【図３】
2018146217.tif 000005
【図４】
2018146217.tif 000006
【図５】
2018146217.tif 000007